(57)【要約】【課題】１以上のＡＶ情報用デコーダを用いる場合に、このデコーダからＰＣＲが得られなくても、データ放送や字幕などの提示タイミングを決定できるようにする。【解決手段】この発明の一実施の形態に係るデータストリーム処理装置は、ＡＶ情報、ＰＣＲ、データ放送などを含むデータストリームＤＳからＡＶ情報をデコードできる１以上のデコーダ２２１〜２２ｎと併用される。このデータストリーム処理装置は、１以上のデコーダの動作に関わらず、データストリームＤＳからＰＣＲを取り出すＰＣＲ情報分離モジュール１２と、データストリームＤＳからデータ放送などの内容を取り出すサービス情報モジュール１６を備えている。【選択図】図１
2011077678.tif 000002
【特許請求の範囲】
【請求項１】
映像情報および／または音声情報と基準クロック情報とサービス情報を含むデータストリームから前記映像情報および／または前記音声情報をデコードできる１以上のデコーダと併用される装置であって、
前記１以上のデコーダの動作に関わらず、前記データストリームから前記基準クロック情報を取り出す基準クロック情報分離モジュールと、
前記データストリームから前記サービス情報の内容を取り出すサービス情報モジュールを備え、
取り出された前記基準クロック情報に基づいて、前記１以上のデコーダによりデコードされる前記映像情報および／または前記音声情報のタイミングと、前記サービス情報モジュールにより取り出される前記サービス情報の内容のタイミングを合わせるように構成したデータストリーム処理装置。
【請求項２】
前記サービス情報はデータ放送に対応し、前記基準クロック情報に基づいてタイミングが合わされた前記サービス情報の内容と前記映像情報および／または前記音声情報を合成するミキサを備えた請求項１に記載の装置。
【請求項３】
前記１以上のデコーダは、前記サービス情報の内容を取り出さない１以上のデコーダを含み、これらのデコーダの１つがデコードする前記映像情報および／または前記音声情報と、前記サービス情報の内容が、前記ミキサにより合成される請求項２に記載の装置。
【請求項４】
前記基準クロック情報の内容にオフセットを持たせた値を生成するように構成した請求項１に記載の装置。
【請求項５】
前記１以上のデコーダでデコードされる情報の属性を変えるデコーダ側属性変換モジュール、および、前記サービス情報モジュールから取り出されるサービス情報の属性を変えるサービス情報処理側属性変換モジュールのうち、少なくとも１つの属性変換モジュールを備えた請求項１に記載の装置。
【請求項６】
映像情報および／または音声情報と基準クロック情報とサービス情報を含むデジタルストリームを受信する受信モジュールと、
前記デジタルストリームから前記映像情報および／または前記音声情報をデコードする１以上のデコーダと、
前記１以上のデコーダの動作に関わらず、前記デジタルストリームから前記基準クロック情報を取り出す基準クロック情報分離モジュールと、
前記デジタルストリームから前記サービス情報の内容を取り出すサービス情報モジュールと、
前記基準クロック情報に基づいてタイミングが合わされた、前記映像情報および／または前記音声情報と前記サービス情報の内容を合成するミキサと、
前記ミキサで合成された前記映像情報および／または前記音声情報と前記サービス情報の内容を取り込んで利用する映像音声キャプチャモジュールを具備した映像装置。
【請求項７】
前記映像音声キャプチャモジュールが、前記映像情報および、前記サービス情報に含まれる文字および／または映像を表示するビデオ処理部に接続される請求項６に記載の映像装置。
【請求項８】
前記映像音声キャプチャモジュールが、前記音声情報および、前記サービス情報に含まれる音を提示するオーディオ処理部に接続される請求項６に記載の映像装置。
【請求項９】
映像情報および／または音声情報と基準クロック情報とサービス情報を含むデータストリームから前記映像情報および／または前記音声情報をデコードできる１以上のデコーダを用いる方法であって、
前記１以上のデコーダの動作に関わらず、前記データストリームから前記基準クロック情報を取り出し、
取り出された前記基準クロック情報に対応する基準クロックに基づいて、前記データストリームから前記サービス情報の内容を取り出し、
前記１以上のデコーダによりデコードされる前記映像情報および／または前記音声情報のタイミングと、前記サービス情報の内容のタイミングを、前記基準クロックに基づいて合わせるデータストリーム処理方法。
【発明の詳細な説明】
【技術分野】
【０００１】
この発明は、基準クロック情報等を含むデータストリームの処理装置、映像装置、および処理方法に関する。
【背景技術】
【０００２】
日本国内の地上デジタル放送あるいはＢＳ／ＣＳデジタル放送のサービスの１つに、データ放送や字幕サービスがある。これらのサービスは、その提示タイミングを決めるのに、ストリーム中に含まれるＰＣＲ（Program Clock Reference）といわれる基準クロック情報を使用する。このＰＣＲは、映像や音声などのＡＶ情報をデコードするタイミングの決定にも使用される。そのため、通常は、ＡＶ情報用デコーダを動作させ、ＡＶ情報のデコードの際に、そのデコーダから同時に、データ放送や字幕などの提示の為にＰＣＲ情報を提供している（特許文献１参照）。
【先行技術文献】
【特許文献】
【０００３】
【特許文献１】特開２００７−８１４７５号公報
【発明の概要】
【発明が解決しようとする課題】
【０００４】
一方、デジタル放送は多チャンネル時代になり、複数のデコーダを内包する機器も多くなってきた。それらの機器では、上記の様なデータ放送や字幕機能などを含まない、ＡＶ情報のデコード機能に特化したデコーダが、システム全体の合理化および製品コストなどの観点から望まれている。
【０００５】
ＡＶ情報のデコード機能に特化したデコーダのみでシステムを構築しようとする場合、データ放送や字幕などに対してはそれ専用の単独モジュールを搭載しデコーダ出力と組み合わせて使用する事になるが、この場合はＰＣＲ情報が取得できず、デコードされたＡＶ情報に対してデータ放送や字幕などの提示タイミングを正確に決定できないと言う問題が生じる。
【０００６】
この発明の課題の１つは、ＡＶ情報のデコード機能に特化した１以上のデコーダを用いる場合に、このデコーダからＰＣＲ情報が得られなくても、データ放送や字幕などの提示タイミングを決定できるようにすることである。
【課題を解決するための手段】
【０００７】
この発明の一実施の形態に係るデータストリーム処理装置は、映像情報および／または音声情報（ＡＶ情報）と基準クロック情報（ＰＣＲ）とサービス情報（データ放送など）を含むデータストリーム（ＤＳ：デジタル放送のＭＰＥＧ−２ストリームなど）から前記映像情報および／または前記音声情報をデコードできる１以上のデコーダ（２２）と併用される装置（１２、１６、３０など）である。（この装置とデコーダの接続には、装置内部の配線あるいはＨＤＭＩなどのデジタルインターフェースが用いられる。）
このデータストリーム処理装置は、前記１以上のデコーダの動作に関わらず（同時デコードをしなくても）、前記データストリームから前記基準クロック情報（ＰＣＲ）を取り出す基準クロック情報分離モジュール（１２）と、前記データストリームから前記サービス情報の内容（データ放送の文字、映像、音声；あるいは字幕放送の字幕など）を取り出すサービス情報モジュール（１６）を備えている。
【０００８】
そして、このデータストリーム処理装置は、取り出された前記基準クロック情報（ＰＣＲまたはＰＣＲ−Ｓ）に基づいて、前記１以上のデコーダ（２２）によりデコードされる前記映像情報および／または前記音声情報のタイミングと、前記サービス情報モジュール（１６）により取り出される前記サービス情報の内容のタイミングを合わせるように構成される（大まかなタイミング合わせにはＰＣＲ、精密なタイミング合わせにはＰＣＲ−Ｓを用いることができる）。
【発明の効果】
【０００９】
この発明によれば、ＡＶ情報のデコード機能に特化した１以上のデコーダを用いる場合に、このデコーダからＰＣＲ情報が得られなくても、データ放送や字幕などの提示タイミングを決定できる。
【図面の簡単な説明】
【００１０】
【図１】この発明の一実施の形態に係るデータストリーム処理装置の構成例を説明する図。
【図２】この発明の一実施の形態に係るデータストリーム処理装置の動作例を説明するフローチャート図。
【発明を実施するための形態】
【００１１】
以下、図面を参照してこの発明の種々な実施の形態を説明する。なお、以下の説明で用いる「サービス情報」という用語は、一般的な意味で用いられており、ＭＰＥＧ−２  ＴＳのサービス情報として用いられる番組配列情報（電子番組表の情報）に限定されない。ここで用いる「サービス情報」には、種々な情報が含まれる。具体的には、テキストデータ／静止画データ群（テキスト、ロゴ、メニューなど）、および、テキスト／静止画の配置や動作などを制御するＢＭＬ（Broadcast Markup Language）文書を含んだデータ放送も、ここで用いる「サービス情報」に含まれるものとする。また、ここで用いる「サービス情報」は、オーディオ情報、ビデオ（動画）情報、コンピュータソフトウエアなどを含むこともできる。デジタル放送のＭＰＥＧ−２  ＴＳを扱う場合は、以下で説明に用いる「サービス情報」は、大筋、データ放送と読み替えてもよい。
【００１２】
図１は、この発明の一実施の形態に係るデータストリーム処理装置を説明する図である。この装置構成は、デジタルＴＶ受像機、ＳＴＢ（Set Top Box）、デジタルビデオレコーダ、ＡＶパソコンなどの映像機器の一機能として、具現できる。この装置構成で扱われるデータストリームＤＳは、主にデジタル放送のＭＰＥＧ−２  ＴＳを想定しているが、このストリームＤＳは、インターネット放送のストリーム、あるいは、デジタルレコーダ／プレーヤの再生ストリームでもよい。
【００１３】
図１の装置は、１以上のデジタル放送を受信するチューナ（シングルチューナあるいはマルチチューナ）１０、チューナ１０で受信した放送局のデータストリームＤＳ（ＭＰＥＧ−２  ＴＳ）からＰＣＲ情報を分離するＰＣＲ情報分離モジュール１２、ＰＣＲ情報分離モジュール１２で分離したＰＣＲ値に適宜オフセットを加えて第２のＰＣＲ情報（ＰＣＲ−Ｓ）を出力するＰＣＲオフセットモジュール１４、ＰＣＲ情報分離モジュール１２から出力されるＰＣＲまたはＰＣＲオフセットモジュール１４から出力されるＰＣＲ−Ｓに基づいて、チューナ１０で受信した放送局のデータストリームＤＳからサービス情報（データ放送、字幕など）を取り出すサービス情報モジュール（あるいはデータ放送モジュール）１６、および、サービス情報モジュール（データ放送モジュール）１６により取り出されたサービス情報（例えばデータ放送の音声情報）の属性（例えばサンプリング周波数）を適宜変換する属性情報変換モジュール（例えばサンプリングレートコンバータＳＣＲ）１８を備えている。
【００１４】
ここで、ＰＣＲオフセットモジュール１４は、後述するデコーダ２２でデコードされたＡＶ情報がミキサ３０に転送されてくるまでのタイムラグをキャンセルするようなオフセット値を、ＰＣＲ情報分離モジュール１２からのＰＣＲに加えて、ＰＣＲ−Ｓを生成する。例えば、ＰＣＲに基づきデコーダ２２でデコードされたＡＶ情報がミキサ３０に転送されてくるまでにｔ秒かかるとすれば、ＰＣＲにｔ秒相当の数値を加えたものを、ＰＣＲ−Ｓとすることができる。（ｔ秒相当の数値としては、例えばＭＰＥＧ−２の基準クロック（２７ＭＨｚ）をｔ秒間カウントした数値とすることができる。）
図１の装置はさらに、１以上のデコーダ部２２１〜２２ｎを含むデコーダ２２を備えている。１以上のデコーダ部２２１〜２２ｎは、チューナ１０で受信した１以上のデータストリームＤＳ（ＭＰＥＧ−２  ＴＳ）に含まれる１以上のＡＶ情報をデコードする機能を持つ。あるいは、１つのデータストリームＤＳに含まれる可能性がある複数種類のデータフォーマットのいずれでもデコードが可能となるように、フォーマットの種類数に応じた数のデコーダ部２２１〜２２ｎを設けるようにすることもできる。
【００１５】
これらのデコーダ部２２１〜２２ｎの一部もしくは全ては、入力されたデータストリームＤＳからＰＣＲを分離抽出する機能を持ってもよいが、そのＰＣＲをデコーダ２２の外部に出力する必要はない。デコーダ部２２１〜２２ｎのいずれもＰＣＲ分離抽出機能を持たないときは、その機能をデコーダ２２の外部機器（例えばチューナ１０）に持たせることができる。ＰＣＲ分離抽出機能をチューナ１０に持たせた場合は、このチューナ１０が、ＰＣＲ情報をデコーダ部２２１〜２２ｎに送る。
【００１６】
デコーダ２２を構成するデコーダ部２２１〜２２ｎのデコード機能は、１以上のハードウエアデコーダで具現することも、高速ＭＰＵあるいは高速ＤＳＰを用いたソフトウエアデコーダにより具現することもできる。セレクタ２４の選択機能なども、高速ＭＰＵあるいは高速ＤＳＰを用いて具現できる。デコーダ部２２１〜２２ｎを高速ＭＰＵあるいは高速ＤＳＰを用いたソフトウエアで具現する場合、そのソフトウエアは、例えば放送局から送信される新バージョンのソフトウエアにより、適宜アップデートできる。アップデートされたソフトウエアは、図示しない不揮発性メモリに格納され、以後、高速ＭＰＵあるいは高速ＤＳＰの動作制御に用いられるようになる。このアップデートにあたっては、各デコーダ部のＰＣＲ分離抽出機能を考えなくてもよい。
【００１７】
このように、アップデート可能なソフトウエアデコーダでデコーダ２２を構成すると、例えば図１の構成を含む製品の出荷当初はフォーマットＡＢＣのデコードにしか対応していなくても、アップデート後にはフォーマットＡＢＣＤのデコードに対応できるようになる（フォーマットＤは新たに追加されたデコード機能）。あるいは、例えば製品出荷当初は３つのソフトウエアデコーダ部しか装備していなくても、アップデート後には４つ以上のソフトウエアデコーダ部を装備できるようになる。
【００１８】
１以上のデコーダ部２２１〜２２ｎでデコードされた１以上のＡＶ情報は、セレクタ２４に入力される。セレクタ２４は、ユーザからの選択指示などにより、デコードされた１以上のＡＶ情報のうちの１つまたは複数を選択し、選択されたＡＶ情報を転送処理部２６に供給する。転送処理部２６は、装置内の配線あるいはＨＤＭＩ（High-Definition Multimedia Interface）やＩＥＥＥ８０２．３標準などの伝送路を介して、選択されたＡＶ情報を属性変換モジュール２８に送出する。属性変換モジュール２８は、送られてきたＡＶ情報の属性（例えばサンプリング周波数）を適宜変換して、ミキサ３０へ出力する。
【００１９】
ミキサ３０では、属性変換モジュール２８で適宜属性が変換されたＡＶ情報に、属性変換モジュール１８で適宜属性が変換されたサービス情報（データ放送）が、合成あるいは混合される。その際、属性変換モジュール１８および／または属性変換モジュール２８の働きにより、デコーダ２２からのＡＶ情報の属性（例えば音声のサンプリング周波数や量子化ビット数）と、サービス情報モジュール（データ放送モジュール）１６からの情報の属性（例えば音声のサンプリング周波数や量子化ビット数）は、同じものに変換されている。
【００２０】
ミキサ３０で合成あるいは混合が行われた情報に関して、デコーダ２２でデコードされたＡＶ情報に対してどのようなタイミングでサービス情報（データ放送）の内容が提示されるのかは、ＰＣＲ情報分離モジュール１２から出力されるＰＣＲまたはＰＣＲオフセットモジュール１４から出力されるＰＣＲ−Ｓに基づいて、決定される。
【００２１】
ミキサ３０で合成あるいは混合されたＡＶ情報は、ＡＶキャプチャモジュール３２に取り込まれる。ＡＶキャプチャモジュール３２に取り込まれたＡＶ情報のうち、映像情報部分（デコーダ２２でデコードされたＡＶ情報の映像に、ＰＣＲまたはＰＣＲ−Ｓに基づいてサービス情報／データ放送の画像や字幕が適宜加わったもの）は、ビデオ処理部３４に送られる。ビデオ処理部３４は、送られてきた映像情報に適宜画像処理（ノイズ低減処理、画像鮮鋭化処理など）を施して、ハイビジョン対応の平面表示パネルなどを用いた表示部３６に送る。
【００２２】
一方、ＡＶキャプチャモジュール３２は、取り込んだＡＶ情報のうち、音声情報部分（デコーダ２２でデコードされたＡＶ情報の音声に、ＰＣＲまたはＰＣＲ−Ｓに基づいてサービス情報／データ放送の音声が適宜加わったもの）を、オーディオ処理部３８に送る。オーディオ処理部３８は、送られてきた音声情報を増幅してスピーカ４０を駆動する。
【００２３】
図１の装置において、デコーダ２２でデコードしたＡＶ情報（映像や音声）に、データ放送のグラフィックや操作音などを重畳する場合は、例えば以下のような処理が行われる。まず、チューナ１０で取得した映像、音声、ＰＣＲデータはそれぞれ分離され、デコードに必要な情報としてデコーダ２２のデコーダ部２２１〜２２ｎに渡される。一方、サービス情報モジュール（データ放送モジュール）１６は、ＰＣＲオフセットモジュール１４よりＰＣＲ値（ＰＣＲまたはＰＣＲ−Ｓ）を取得してサービス情報（データ放送）の内容の提示タイミングを決定し、その内容をデコーダ２２のデコード結果である映像や音声に重畳するために送出する。
【００２４】
図１の構成では、ＰＣＲのみを分離抽出するＰＣＲ情報分離モジュール１２に繋がったサービス情報モジュール（データ放送モジュール）１６を、デコーダ２２から独立して設けている。そのため、デコーダ２２の動作とは独立して（デコーダが動作しているか否かに関わらず）、サービス情報モジュール（データ放送モジュール）１６は、ＰＣＲに基づく適正な提示タイミングを取得できる。
【００２５】
図２は、この発明の一実施の形態に係るデータストリーム処理装置の動作例を説明するフローチャートである。図１の構成において、チューナ１０により、ＡＶ情報、基準クロック情報（ＰＣＲ情報）、およびサービス情報（データ放送など）を適宜含む、データストリームＤＳが受信される（ＳＴ１０）。このデータストリームＤＳは、デコーダ２２と、デコーダ２２から分離されたＰＣＲ情報分離モジュール１２およびサービス情報モジュール（データ放送モジュール）１６に渡される。
【００２６】
ＰＣＲ情報分離モジュール１２は、デコーダ２２（２２１〜２２ｎ）の動作に関わらず（例えばＡＶ情報とデータ放送の同時デコードをしないときでも）、ＰＣＲ情報を分離する（ＳＴ１２）。分離されたＰＣＲ情報の値には、ミキサ３０で合成または混合される情報の提示タイミングをより正確なものとするために、適宜、オフセットが付与される（ＳＴ１４）。このオフセット付与により、ＰＣＲ情報分離モジュール１２からのＰＣＲ情報（ＰＣＲ）は第２のＰＣＲ情報（ＰＣＲ−Ｓ）に変換される。このオフセットを付与しなくてもタイミング上の問題が出ないときは、ＰＣＲ−Ｓ＝ＰＣＲとすることができる。また、ＰＣＲで大まかなタイミング合わせをしておき、さらに精密なタイミング合わせが必要となる場合にＰＣＲ−Ｓを用いるように構成することもできる。
【００２７】
サービス情報モジュール（データ放送モジュール）１６では、データストリームＤＳからサービス情報（データ放送）に関連するＢＭＬなどの情報が取得されるとともに、ＰＣＲ値（ＰＣＲまたはＰＣＲ−Ｓ）が取得される。図１の構成では、このＰＣＲ値を、サービス情報モジュール（データ放送モジュール）１６の外部に設けたＰＣＲ情報分離モジュール１２またはＰＣＲオフセットモジュール１４から得ている。しかし、モジュール１６の外部にモジュール１２および１４を設ける代わりに、モジュール１６内部に、モジュール１２＋１４相当のＰＣＲ情報分離供給モジュール（図示せず）を内装するように構成してもよい。
【００２８】
サービス情報モジュール（データ放送モジュール）１６では、ＰＣＲ値のみを映像機器（ＴＶなど）内の図示しない基準クロックＳＴＣ（System Time Clock）に反映させる。ＳＴＣにＰＣＲ値が反映されることから、映像機器内におけるサービス情報（データ放送）の内容取り出しは、ＰＣＲ値（ＰＣＲまたはＰＣＲ−Ｓ）を用いて行われることになる（ＳＴ１６）。別の言い方をすると、モジュール１２から取り出された基準クロック情報（ＰＣＲ）に対応する第２の基準クロック（ＰＣＲ−Ｓ：ここではＰＣＲ＝ＰＣＲ−Ｓの場合も対応関係の１つとして含まれる）に基づいて、前記データストリームから前記サービス情報の内容（データ放送の文字、映像、音声など）が取り出される（ＳＴ１６）。取り出された情報は、その属性（サンプリングレートなど）が適宜変換されて（ＳＴ１８）、ミキサ３０へ送られる。
【００２９】
一方、サービス情報（データ放送）処理（ＳＴ１２〜ＳＴ１６）とは別に、ＡＶ情報のデコード処理も行われる。すなわち、デコーダ２２１〜２２ｎのうちの１つ以上において、ＰＣＲを用いたＡＶ情報のデコードが個別に行われる（ＳＴ２２）。（なお、ＳＴ２２では、複数のデコーダが協同して同じＡＶ情報のデコードを行ってもよい。例えば２ｋ＊４ｋクラスの超高解像度次世代ハイビジョン映像をデコードする場合において、１つのデコーダでは対応できないときは、複数のデコーダを並列動作させてその映像デコードに対処するようにしてもよい。）デコードされた１以上のＡＶ情報のうちの少なくとも１つが選択されると（ＳＴ２４）、選択されたＡＶ情報がミキサ３０側へ転送される（ＳＴ２６）。その際、デコーダ２２側で転送されたＡＶ情報の属性（サンプリングレートなど）は、適宜変換される（ＳＴ２８）。
【００３０】
属性が適宜変換されたＡＶ情報と、属性が適宜変換されたサービス情報（データ放送など）の内容は、ミキサ３０において、タイミングを合わせて合成（重畳または混合）される（ＳＴ３０）。このタイミング合わせは、前述したＰＣＲまたはＰＣＲ−Ｓに基づいて行うことができる。こうしてタイミングが合わされたＡＶ情報＋サービス情報（データ放送など）は、ＡＶキャプチャ機器（デジタルＴＶ、デジタルレコーダ、ＡＶパソコンなど）へ出力される（ＳＴ３２）。
【００３１】
ここで、データ放送の操作音（効果音）には圧縮音声が使われている事から、その操作音（効果音）のデコードには、通常はデコーダ２２側の音声デコード機能が使用される。その際、サービス情報モジュール（データ放送モジュール）１６からデコーダ２２側へ操作音（効果音）の重畳（合成または混合）タイミングを指示するために、モジュール１６側に操作音専用のデコーダを設ける実施形態が考えられる。また、モジュール１６からデコーダ２２へ重畳（合成または混合）タイミングをフィードバックし、デコーダ２２からの音声にサービス放送の操作音（効果音）が適正なタイミングで重畳された音声情報を、モジュール１６側へ操作音専用に渡す実施形態も考えられる。
【００３２】
音声の重畳（合成または混合）をサービス情報モジュール（データ放送モジュール）１６で行なう場合、デコーダ２２からの出力はＰＣＭ音声が考えられ、その伝送にはＨＤＭＩ伝送、あるいは通常のＰＣＭキャプチャなどが考えられる。その場合、ＨＤＭＩ経由で入って来たＰＣＭ音声に効果音を重畳（合成または混合）するシステム構成が必要となる。ＨＤＭＩ経由のＰＣＭ音声は入力ソースによってサンプリング周波数が異なる事が考えられるため、操作音、あるいは入力ＰＣＭ音声、もしくはその双方にＳＲＣ（Sampling Rate Converter）を実装する形態が考えられる。図１の構成では、属性変換モジュール１８および２８が、このＳＲＣの機能を担っている。
【００３３】
また、音声や映像を転送するタイムラグを考えてＰＣＲ値にオフセットを持たせて提示する事も有効である。図１の構成では、ＰＣＲオフセットモジュール１４が、このＰＣＲオフセットの機能を担っている。
【００３４】
以上のような構成を採用することにより、多数のデコーダ機能を内包し得るデコーダ２２からサービス情報モジュール（データ放送モジュール）１６の処理機能を分離する事が出来、システム構成の自由度が増す。
【００３５】
＜実施の形態のまとめ＞
１．ＰＣＲなどの基準クロックを使用するシステム（モジュール１２〜１６を含むシステム）において、同時にＡＶ情報のデコードを行なわなくても、ＰＣＲの値を取得する。
【００３６】
２．取得したＰＣＲを使用し動作させたシステム（１２〜１６）の動作結果（テキスト、画像／映像、音声など）を、他のデコーダ２２でデコードした音声や映像に重畳（合成または混合）する。
【００３７】
３．上記を実現するため、デコーダ２２とは別に、ＰＣＲを使用するモジュール（１２、１６）にもデータストリームＤＳを供給する構成を取る。
【００３８】
＜変形例＞
この発明の実施形態は、デコーダ２２から分離されたシステム（ＰＣＲなど通常はデコーダ２２が生成・供給する基準クロックに依存しないシステム）で利用できる。例えば、ＡＶ情報のデコーダ２２の動作から独立して基準クロック（ＰＣＲ）を用いる字幕放送の処理装置などでも利用できる。
【００３９】
＜実施の形態の効果＞
ａ．ＡＶ情報のデコード機能に特化した１以上のＡＶデコーダ（２２１〜２２ｎ）を用いる場合に、これらのデコーダからＰＣＲ情報が得られなくても、あるいはこれらのデコーダの動作に関わりなく、データ放送や字幕などの提示タイミングを決定できる。
【００４０】
ｂ．ＡＶデコーダのデコード結果とデータ放送などを合成する場合において、その合成タイミングがＰＣＲだけでは正確に合わせられないときでも、ＰＣＲに適切なオフセットを持たせたＰＣＲ−Ｓを用いることにより、ＡＶデコーダのデコード結果とデータ放送などの合成タイミングを、正確に合わせることができる。
【００４１】
ｃ．データ放送などのサービス機能が１以上のＡＶデコーダ（２２１〜２２ｎ）から分離されるため、各デコーダの構成は簡素化され、ＡＶデコーダの増設が容易となる。特に、複数のＡＶデコーダを高速ＭＰＵあるいは高速ＤＳＰによるソフトウエアで実現する場合では、ソフトウエアのアップデートによりＡＶデコーダの機能変更および／またはＡＶデコーダの数の増減が容易となる。
【００４２】
＜実施の形態と発明との対応例＞
＜１＞この発明の一実施の形態に係るデータストリーム処理装置は、ＡＶ情報と基準クロック情報（ＰＣＲ）とサービス情報（データ放送など）を含むデータストリーム（ＤＳ）からＡＶ情報をデコードできる１以上のデコーダ（２２１〜２２ｎ）と併用される装置（またはシステム）である。この装置は、１以上のデコーダの動作に関わらず（同時デコードをしなくても）、前記データストリームから前記基準クロック情報（ＰＣＲ）を取り出す基準クロック情報分離モジュール（１２）と、前記データストリームから前記サービス情報の内容（データ放送の文字、映像、音声；あるいは字幕放送の字幕など）を取り出すサービス情報モジュール（１６）を備えている。そして、取り出された前記基準クロック情報（ＰＣＲまたはＰＣＲ−Ｓ）に基づいて、前記１以上のデコーダによりデコードされる前記ＡＶ情報のタイミングと、前記サービス情報モジュール（１６）により取り出される前記サービス情報の内容のタイミングを合わせるように構成される（大まかなタイミング合わせはＰＣＲ、精密なタイミング合わせはＰＣＲ−Ｓで可能）。
【００４３】
＜２＞この発明の一実施の形態に係る映像装置は、ＡＶ情報と基準クロック情報（ＰＣＲ）とサービス情報（データ放送など）を含むデジタルストリーム（ＤＳ）を受信する受信モジュール（１０）と、前記デジタルストリームからＡＶ情報をデコードする１以上のデコーダ（２２１〜２２ｎ）を備えている。この映像装置はさらに、前記１以上のデコーダの動作に関わらず（同時デコードをしなくても）、前記デジタルストリームから前記基準クロック情報（ＰＣＲ）を取り出す基準クロック情報分離モジュール（１２）と、前記デジタルストリームから前記サービス情報の内容（文字、映像、音声など）を取り出すサービス情報モジュール（１６）と、前記基準クロック情報（ＰＣＲまたはＰＣＲ−Ｓ）に基づいてタイミングが合わされた、前記ＡＶ情報と前記サービス情報の内容を合成するミキサ（３０）と、前記ミキサで合成された前記ＡＶ情報と前記サービス情報の内容を取り込んで利用する映像音声キャプチャモジュール（３２）を備える。
【００４４】
＜３＞この発明の一実施の形態に係るデータストリーム処理方法は、ＡＶ情報と基準クロック情報（ＰＣＲ）とサービス情報（データ放送など）を含むデータストリーム（ＤＳ）からＡＶ情報をデコードできる１以上のデコーダ（２２１〜２２ｎ）を用いる方法である。この方法では、１以上のデコーダの動作に関わらず（同時デコードをしなくても）、前記データストリームから前記基準クロック情報（ＰＣＲ）を取り出し（ＳＴ１２）、取り出された前記基準クロック情報（ＰＣＲ）に対応する基準クロック（ＰＣＲ−Ｓ）に基づいて、前記データストリームから前記サービス情報の内容（データ放送の文字、映像、音声など）を取り出す（ＳＴ１６）。そして、前記１以上のデコーダによりデコードされるＡＶ情報のタイミングと、前記サービス情報の内容のタイミングを、前記基準クロック（ＰＣＲ−Ｓ）に基づいて合わせる（ＳＴ３０）。
【００４５】
なお、この発明は前述した実施の形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００４６】
１０…チューナ（受信モジュール）、１２…ＰＣＲ情報分離モジュール（基準クロック情報分離モジュール）、１４…ＰＣＲオフセットモジュール、１６…サービス情報モジュール（データ放送モジュール）、１８…属性変換モジュール、２２…デコーダ、２４セレクタ、２６…転送処理部（内部配線またはＨＤＭＩ等の外部配線）、２８…属性変換モジュール、３０…ミキサ、３２…ＡＶキャプチャモジュール（映像音声キャプチャモジュール）、３４…ビデオ処理部、３６…表示部、３８…オーディオ処理部、４０…スピーカ。
【図１】
2011077678.tif 000003
【図２】
2011077678.tif 000004